(57)【要約】      （修正有）【課題】弾性支持部材と一体化して、画像検出ユニット下表面に連結する方法により、画像検出ユニットと弾性支持部材と密着させ、画像検出ユニットが滑り移動するときの振動を解消し、走査モジュールの振動による騒音および画質劣化を防止することができる、走査モジュールの提供。【解決手段】主に画像検出ユニット、弾性支持部材、および支持塊より構成する。弾性支持部材の中央部に取付板を設け、取付板は画像検出ユニットに取り付ける。支持塊に頂部取付面を設け、該頂部取付面と弾性支持部材中央部に備える取付板を取り付けて、弾性支持部材を画像検出ユニットの下表面に連結する。【選択図】図１
0003128087.tif 000002
【実用新案登録請求の範囲】
【請求項１】
画像検出ユニット、弾性支持部材及び支持塊を含み、
画像検出ユニットは上表面と下表面を有し、該画像検出ユニットの上表面はスキャナーの原稿受け面の内面に密着して設け、
弾性支持部材はその中央部に取付板を設け、取付板は画像検出ユニットの下部に取り付け、
支持塊は頂部取付面を設け、該頂部取付面と弾性支持部材中央部に備える取付板を取り付けて、弾性支持部材を画像検出ユニットの下表面に連結し、
該弾性支持部材に備える取付板の両側に上方に屈折しながら延ばして弾性支えパネルをそれぞれ設け、弾性支えパネルの外側は上方に屈折して両側に延ばした二つの突起片を設け、二つの突起片は画像検出ユニットの下表面に密着して連結することを特徴とするの走査モジュール。
【請求項２】
すべての突起片は矩形であることを特徴とする請求項１記載の走査モジュール。
【請求項３】
該突起片に円形の接続孔を設けることを特徴とする請求項１記載の走査モジュール。
【請求項４】
該突起片に熱接着剤を塗布し、該画像検出ユニットの下表面に粘着して、固定により、連結することを特徴とする請求項１記載の走査モジュール。
【請求項５】
該弾性支持部材の取付板は貫通して、複数の取付孔を設け、該支持塊の頂部端面は上方に突き出して、該取付孔に対応して複数の突起棒を設け、該突起棒と該取付孔を合せて掛け合い、弾性支持部材を画像検出ユニットの下表面に接続することを特徴とする請求項１記載の走査モジュール。
【請求項６】
該取付板と突起片は互いに平行することを特徴とする請求項１記載の走査モジュール。
【請求項７】
すべての支えパネルの下部と取付板との接続場所は切り込んで、２倍の板厚みの隙間を開けることを特徴とする請求項１記載の走査モジュール。
【請求項８】
すべての支えパネルは両側に延ばして、等辺台形構造を形成し、すべての支えパネルは上下を貫通して、空所を並列して設けることを特徴とする請求項１記載の走査モジュール。
【請求項９】
二つの支えパネルは対称構造であることを特徴とする請求項１記載の弾性支持部材。
【請求項１０】
走査モジュールの画像検出ユニットを支え、取付板及び支えパネルを含み、取付板は弾性支持部材の中央部に設け、該弾性支持部材に備える取付板の両側に上方に屈折しながら延ばして弾性支えパネルをそれぞれ設け、弾性支えパネルの外側は上方に屈折して両側に延ばした二つの突起片を設け、該突起片は画像検出ユニットの下表面に密着して連結することを特徴とする弾性支持部材。
【請求項１１】
すべての突起片は矩形であることを特徴とする請求項１０記載の弾性支持部材。
【請求項１２】
該突起片に円形の接続孔を設けることを特徴とする請求項１０記載の弾性支持部材。
【請求項１３】
すべての突起片は熱接着剤を塗布することを特徴とする請求項１０記載の弾性支持部材。
【請求項１４】
該弾性支持部材の取付板は、貫通して複数の取付孔を設けることを特徴とする請求項１０記載の弾性支持部材。
【請求項１５】
該取付板と突起片は互いに平行することを特徴とする請求項１０記載の弾性支持部材。
【請求項１６】
該取付板と支えパネルとの接続場所は切り込んで、２倍の板厚みの隙間を開けることを特徴とする請求項１０記載の弾性支持部材。
【請求項１７】
すべての支えパネルは上下を貫通して、空所を並列して設けることを特徴とする請求項１０記載の弾性支持部材。
【請求項１８】
すべての支えパネルは上下を貫通して、矩形の空所を設けることを特徴とする請求項１０記載の弾性支持部材。
【請求項１９】
すべての支えパネルは等辺台形構造であることを特徴とする請求項１０記載の弾性支持部材。
【請求項２０】
二つの支えパネルのうち、一つの支えパネルの長さはもう一つの支えパネルより長く設けることを特徴とする請求項１０記載の弾性支持部材。
【考案の詳細な説明】
【技術分野】
【０００１】
本考案は一種の走査モジュール、特に一種の弾性支持部材を備えた走査モジュールに関わるものである。
【背景技術】
【０００２】
スキャナーは各種の図画処理、出版、印刷、広告製作、オフィスオートメーション、マルチメディア、ないし家庭など多くの分野に幅広く応用されている。もはや電算機事務の必需設備の一つとなり、その役目はますます重要である。。
【０００３】
通常、スキャナーは走査モジュールを内蔵し、走査モジュールは原稿受け面に密着するなど、原稿受け面のガラスの下部に取り付けて、該ガラス窓に密着し、移動しながら文書の走査を行う。図６に示すとおり、公知技術の走査モジュール２は、画像検出ユニット４０、ばね５０、支え台６０および支持塊７０より構成する。
【０００４】
画像検出ユニット４０の上表面４１に画像センサーを設けて、走査に備える。下表面４４は走査モジュール２その他の素子に接続する。画像検出ユニット４０の両側に固定棒４３，４５をそれぞれ設ける。ばね５０の上端は画像検出ユニット４０の下表面４４に支えて、下部端面は支え台６０に連結する。支え台６０はおおむね矩形の固定台を設け、支え台６０前後両側は上方に屈折して側壁６３を形成する。左右両側は上方に屈折して収容溝を備えた係止め部材６３と収容孔を備えた係止め部材６５を形成する。支え台６０の内部に複数の取付孔６１１を設け、支え台６０底部は上方に突起塊６１０を突き出して設ける。支持塊７０に頂部端面７１および頂部端面７１を突き出して複数の突起棒７２を設ける。
【０００５】
前記した公知技術の走査モジュール２の支え台６０は、突起棒７２を取付孔６１１に取り付けて、支え台６０によって支持塊７０を固定する。固定ばね５０は画像検出ユニット４０と支持塊７０の間に設け、画像検出ユニット４０を支えて、係止め部材６３、６５は画像検出ユニット４０の固定棒４３、４５に合せて掛け合うことにより、画像検出ユニット４０を走査ガラス窓の下部に密着する。
【０００６】
公知技術の走査モジュール２稼働するとき、係止め部材６３、６５は固定棒４３、４５にそれぞれ掛け合う。さらに、支え台６０はばね５０に圧迫し、画像検出ユニット４０をスキャナー内側のガラス窓の下部に密着しながら、往復に移動して画像走査を行う。
【０００７】
しかしながら、製造公差により、前記した公知技術の走査モジュール２の係止め部材６３、６５と固定棒４３、４５との掛け合いに隙間が存在する。走査モジュール２は時間経過後、その隙間は次第に大きくなる。このため、画像検出ユニット４０は滑り移動のとき、係止め部材６３、６５と固定棒４３、４５との掛け合いの緩みにより、画像検出ユニット４０が振れて騒音を引き起こすほか、読み取った画像が劣る。
【考案の開示】
【考案が解決しようとする課題】
【０００８】
本考案は前記した公知技術の欠点を鑑みて、一種の走査モジュールを考案した。主に画像検出ユニット、弾性支持部材、および支持塊より構成する、一種の走査モジュールを提供することを本考案の主な目的とする。画像検出ユニットに上表面と下表面を設け、該画像検出ユニットの上表面はスキャナーの原稿受け面の内面に密着する。弾性支持部材の中央部に取付板を設ける。支持塊に頂部取付面を設け、該頂部取付面と弾性支持部材中央部に備える取付板を固定することにより、弾性支持部材を画像検出ユニットの下表面へ確実に密着させる。該弾性支持部材に備える取付板の両側は上方に屈折しながら延ばして弾性支えパネルをそれぞれ設け、弾性支えパネルの外側は上方に屈折して両側に延ばした二つの突起片を設け、二つの突起片は画像検出ユニットの下表面に密着して連結する。
【０００９】
該弾性支持部材は、弾性支持部材中央部に備える取付板、および支えパネルを有する、一種の走査モジュール用の弾性支持部材を提供することを本考案の次の目的とする。該弾性支持部材に備える取付板の両側は上方に屈折しながら延ばして弾性支えパネルをそれぞれ設け、弾性支えパネルの外側は上方に屈折して両側に延ばした突起片を設け、該突起片は画像検出ユニットの下表面に密着して連結する。
【００１０】
前記の構成要素により、本考案の走査モジュールは弾性支持部材を画像検出ユニットの下表面に一体化した連結方法は、画像検出ユニットと弾性支持部材と密着することにより、画像検出ユニットが滑り移動するときの振動を解消し、走査モジュールが走査するときの振動による騒音発生と画質劣化を防止することができる。その上、弾性支持部材に備える弾性支えパネルより画像検出ユニットに弾力を提供し、画像検出ユニットをガラス窓の内部表面に密着した状態で滑り移動し、画像検出ユニットに最適な走査画像を提供する効果がある。
【課題を解決するための手段】
【００１１】
請求項１の考案は、画像検出ユニット、弾性支持部材及び支持塊を含み、
画像検出ユニットは上表面と下表面を有し、該画像検出ユニットの上表面はスキャナーの原稿受け面の内面に密着して設け、
弾性支持部材はその中央部に取付板を設け、取付板は画像検出ユニットの下部に取り付け、
支持塊は頂部取付面を設け、該頂部取付面と弾性支持部材中央部に備える取付板を取り付けて、弾性支持部材を画像検出ユニットの下表面に連結し、
該弾性支持部材に備える取付板の両側に上方に屈折しながら延ばして弾性支えパネルをそれぞれ設け、弾性支えパネルの外側は上方に屈折して両側に延ばした二つの突起片を設け、二つの突起片は画像検出ユニットの下表面に密着して連結することを特徴とする走査モジュールとしている。
請求項２の考案は、すべての突起片は矩形であることを特徴とする請求項１記載の走査モジュールとしている。
請求項３の考案は、該突起片に円形の接続孔を設けることを特徴とする請求項１記載の走査モジュールとしている。
請求項４の考案は、該突起片に熱接着剤を塗布し、該画像検出ユニットの下表面に粘着して、固定により、連結することを特徴とする請求項１記載の走査モジュールとしている。
請求項５の考案は、該弾性支持部材の取付板は貫通して、複数の取付孔を設ける、該支持塊の頂部端面は上方に突き出して、該取付孔に対応して複数の突起棒を設け、該突起棒と該取付孔を合せて掛け合い、弾性支持部材を画像検出ユニットの下表面に接続することを特徴とする請求項１記載の走査モジュールとしている。
請求項６の考案は、該取付板と突起片は互いに平行することを特徴とする請求項１記載の走査モジュールとしている。
請求項７の考案は、すべての支えパネルの下部と取付板との接続場所は切り込んで、２倍の板厚みの隙間を開けることを特徴とする請求項１記載の走査モジュールとしている。
請求項８の考案は、すべての支えパネルは両側に延ばして、等辺台形構造を形成し、すべての支えパネルは上下を貫通して、空所を並列して設けることを特徴とする請求項１記載の走査モジュールとしている。
請求項９の考案は、二つの支えパネルは対称構造であることを特徴とする請求項１記載の弾性支持部材としている。
請求項１０の考案は、走査モジュールの画像検出ユニットを支え、取付板及び支えパネルを含み、取付板は弾性支持部材の中央部に設け、該弾性支持部材に備える取付板の両側に上方に屈折しながら延ばして弾性支えパネルをそれぞれ設け、弾性支えパネルの外側は上方に屈折して両側に延ばした二つの突起片を設け、該突起片は画像検出ユニットの下表面に密着して連結することを特徴とする弾性支持部材としている。
請求項１１の考案は、すべての突起片は矩形であることを特徴とする請求項１０記載の弾性支持部材としている。
請求項１２の考案は、該突起片に円形の接続孔を設けることを特徴とする請求項１０記載の弾性支持部材としている。
請求項１３の考案は、すべての突起片は熱接着剤を塗布することを特徴とする請求項１０記載の弾性支持部材としている。
請求項１４の考案は、該弾性支持部材の取付板は、貫通して複数の取付孔を設けることを特徴とする請求項１０記載の弾性支持部材としている。
請求項１５の考案は、該取付板と突起片は互いに平行することを特徴とする請求項１０記載の弾性支持部材としている。
請求項１６の考案は、該取付板と支えパネルとの接続場所は切り込んで、２倍の板厚みの隙間を開けることを特徴とする請求項１０記載の弾性支持部材としている。
請求項１７の考案は、すべての支えパネルは上下を貫通して、空所を並列して設けることを特徴とする請求項１０記載の弾性支持部材としている。
請求項１８の考案は、すべての支えパネルは上下を貫通して、矩形の空所を設けることを特徴とする請求項１０記載の弾性支持部材としている。
請求項１９の考案は、すべての支えパネルは等辺台形構造であることを特徴とする請求項１０記載の弾性支持部材としている。
請求項２０の考案は、二つの支えパネルのうち、一つの支えパネルの長さはもう一つの支えパネルより長く設けることを特徴とする請求項１０記載の弾性支持部材としている。
【考案の効果】
【００１２】
本考案の走査モジュールは弾性支持部材を画像検出ユニットの下表面に一体化した連結方法は、画像検出ユニットと弾性支持部材と密着することにより、画像検出ユニットが滑り移動するときの振動を解消し、走査モジュールが走査するときの振動による騒音発生と画質劣化を防止することができる。その上、弾性支持部材に備える弾性支えパネルより画像検出ユニットに弾力を提供し、画像検出ユニットをガラス窓の内部表面に密着した状態で滑り移動し、画像検出ユニットに最適な走査画像を提供する効果がある。
【考案を実施するための最良の形態】
【００１３】
図１に示すとおり、本考案の画像走査モジュール１は、主に画像検出ユニット１０、弾性支持部材２０、および支持塊３０より構成する。弾性支持部材２０は画像検出ユニット１０と支持塊３０との間に固定する。
【００１４】
画像検出ユニット１０は接触画像センサー（Ｃｏｎｔａｃｔ  Ｉｍａｇｅ  Ｓｅｎｓｏｒ，  ＣＩＳ）を画像検出素子に用いる。画像検出ユニット１０をスキャナーの原稿受け面の内面に密着させ、走査により画像を取得する。通常、原稿受け面はガラス窓を設ける。画像検出ユニット１０の上表面１１をスキャナーのガラス窓の真向かい側に密着させ、往復移動により、ガラス窓上部に置いた原稿を走査し読み取る。
【００１５】
画像検出ユニット１０の下表面１２に走査モジュール１０その他素子を連結し固定する。
【００１６】
弾性支持部材２０は画像検出ユニット１０の下表面に連結し、弾性支持部材２０の中央部は矩形の取付板２１を設け、取付板２１の上下に３つの取付孔２１１を開ける。取付板２１前後両側は上方の縦方向に屈折して前・後側壁２１２、２１３を形成し、取付板２１前側の右縁は前に突き出して矩形の合せシート２１４を形成する。合せシート２１４は前部側壁２１２の右側に設け、そのうち一つの取付孔２１１は合せシート２１４上に開ける。取付板２０左右両側は上方へ縦方向に屈折しながら一定高度に延ばして、屈折部２２１を設け、水平方向へ左右両側に屈折しながら一対のおおむね台形の左右支えパネル２２ａ、２２ｂを設ける。弾性支持部材２０に備える二つの支えパネル２２ａ、２２ｂと取付板２１は、異なる平面に取り付ける。二つの支えパネル２２ａ、２２ｂは、上下を貫通して空所２２２、２２４を並列して設ける。二つの空所２２２、２２４の間に、縦方向の接続板２２３を設ける。二つの支えパネル２２ａ、２２ｂ両側は上方へ縦方向に屈折しながら一定高度に延ばして、二つの折れ板２２５を設け、二つの折れ板２２５は両側に屈折して、水平方向に延ばして、矩形突起片２２６を形成する。二つの支えパネル３２ａ、２２ｂの末端部と折れ板２２５の接続場所は切込みにより、２倍の板厚みの隙間２１５を設ける。各突起片２２６は取付板２０に平行し、上下を貫通して円形の接続孔２２７を設け、ねじにより該該接続孔２２７を通して、該矩形突起片２２６と画像検出ユニット１０の下表面１２を密着して連結する。突起片２２６は熱接着剤を塗布し、該矩形突起片２２６と画像検出ユニット１０の下表面４４を熱接着方式により接着して、矩形突起片２２６と画像検出ユニット１０を一体化に接着する。
【００１７】
支持塊３０の頂部端面３１は縦方向へ上方に突き出して３つの突起棒３２を設け、これらの突起棒３２と弾性支持部材２０の取付板２１に設ける３つの取付孔２１１に合せて埋め込み、支持塊３０の頂部端面３１と弾性支持部材２０の中央部に備える取付板２１を密着して固定する。
【００１８】
図２と図３を合せて参照する。取付板２１と屈折部２３１の連結場所の左右両側は、切込みにより、２倍の板厚みの隙間２１５を設ける。隙間２１５の長さにより、取付板２１と支えパネル２２ａ、２２ｂの弾力効果を変化させる。このため、本考案を実施するとき、該隙間２１５は必要に応じて、適切に調節し、走査モジュール１の弾性支持部材２０により良い弾力を画像検出ユニット１０に与えることができる。
【００１９】
本考案の走査モジュール１をスキャナーの原稿受け面の内面に取付るとき、支持塊３０の突起棒２と対応した３つの取付孔２１１に合せて埋め込み、弾性支持部材２０二つの矩形突起片２２６はねじまたは熱接着剤により、画像検出ユニット１０の下表面に接着する。弾性支持部材２０と画像検出ユニット１０の間に隙間を残さず、より緊密な接着を実現することにより、走査モジュール１が走査するとき、弾性支持部材２０と画像検出ユニット１０の振動による騒音で、画質劣化を防止できる。支持塊３０は弾性支持部材２０の下方に支えて接続する。弾性支持部材２０の取付板２１より弾性圧力を支えパネル２２ａ、２２ｂに伝えて、支えパネル２２ａ、２２ｂはさらに矩形突起片２２８を介して、該弾性圧力を画像検出ユニット１０に伝達することにより、画像検出ユニット１０はスキャナーの原稿受け面の内面に密着させ、より良い走査画像を取得できる。このほか、一対の支えパネル２２ａ、２２ｂに限ることなく、支えパネル２２ａ、２２ｂ両側はさらに、上方に屈折しながら、複数の支えパネル２２ａ、２２ｂを形成することができる。
【００２０】
本考案の走査モジュール１において、左右両側に形成された二つの支えパネル２２ａ、２２ｂは中央部に備える取付板２０に対応し、中央部の取付板２０両側の支えパネル２２の長さは等しい、構造は同様にして、バランスを取った弾性力を画像検出ユニット１０に提供する。
【００２１】
図４と図５に示すものは、本考案走査モジュールの弾性支持部材２０’の実施例２である。本実施例２と実施例１との違いは、弾性支持部材２０’に備える二つの支えパネル２２ａ’、２２ｂ’は中央部の取付板２０’に対して、非対称に設ける。この実施例において、左側の支えパネル２２ａ’の中央部は一つのみの矩形空所２２３’を設け右側の支えパネル２２ｂ’の末端部は上方に屈折して折れ板２２５’を形成する。折れ板２２５’と支えパネル２２ｂ’とは９０度以上の角取り角度を形成し、一定円の弧状屈折を設ける。左側の支えパネル２２ａ’は右側の支えパネル２２ｂ’より長く設け、左右支えパネル２２ａ、２２ｂ両側は外部に屈折しながら延ばして、二つの突起片２２６’を形成する。このほか、左右支えパネル２２ａ、２２ｂは屈折した後、複数の階段状の支えパネルを形成することがある。実施例２において、本考案の走査モジュール１の弾性支持部材２０’は、非対称に設けることで、左右支えパネル２２ａ、２２ｂ’に適した屈折角取りを設けて、弾性支持部材２０’に必要な弾力を提供できる。
【００２２】
前記の構成要素により、本考案の走査モジュール１において、弾性支持部材２０、２０’の中央部に取付板２１、２１’を設け、取付板２１、２１’の向かい側の両辺に弾性の支えパネル２２ａ、２２ｂと２２ａ’、２２ｂ’延ばして設ける。左右支えパネル２２ａ、２２ｂと２２ａ’、２２ｂ両側に形成する突起片２２６、２２６’は、ねじまたは熱接着剤により、外部の画像検出ユニット１０の下表面１２に一体化して固定する。画像検出ユニット１０と弾性支持部材２０、２０を密着させることにより、画像検出ユニット１０の滑り移動による振動を解消し、走査モジュール１の走査による振動騒音と画質劣化を防止することができる。さらに、該弾性支持部材２０、２０’に備えた弾性の左右支えパネル２２ａ、２２ｂと２２ａ’、２２ｂ’は、画像検出ユニット１０の下表面１２に支えて、適切な弾性力により、画像検出ユニット１０をガラス窓の下部表面に密着して滑り移動し、画像検出ユニット１０に最適な走査画像を提供する
【図面の簡単な説明】
【００２３】
【図１】本考案の走査モジュールの立体図である。
【図２】本考案の走査モジュールの弾性支持部材の平面図である。
【図３】本考案図２の弾性支持部材の正面図である。
【図４】本考案による走査モジュールの弾性支持部材の実施例２の立体図である。
【図５】本考案図５の正面図である。
【図６】公知技術の走査モジュールの立体図である。
【符号の説明】
【００２４】
２  公知技術の走査モジュール
４０  画像検出ユニット
４１  上表面
４３、４５  固定棒
４４  下表面
５０  ばね
６０  支え台
６１０  突起塊
６１１  取付孔
６２  側壁
６３、６５  係止め部材
７０  支持塊
７１  頂部端面
７２  突起棒
１  走査モジュール
１０  画像検出ユニット
１１  上表面
１２  下表面
２０、２０’  弾性支持部材
２１  取付板
２１１  取付孔
２１２  前部側壁
２１３  後部側壁
２１４  合せシート
２１５  隙間
２２ａ、２２ｂ、２２ａ’、２２ｂ’  支えパネル
２２１  屈折部
２２２、２２４、２２２’  空所
２２３  接続板
２２５、２２５’  折れ板
２２６、２２６’  突起片
２２７  接続孔
３０  支持塊
３１  頂部端面
３２  突起棒
【図１】
0003128087.tif 000003
【図２】
0003128087.tif 000004
【図３】
0003128087.tif 000005
【図４】
0003128087.tif 000006
【図５】
0003128087.tif 000007
【図６】
0003128087.tif 000008
【手続補正書】
【提出日】平成18年10月13日(2006.10.13)
【手続補正１】
【補正対象書類名】実用新案登録請求の範囲
【補正対象項目名】全文
【補正方法】変更
【補正の内容】
【実用新案登録請求の範囲】
【請求項１】
画像検出ユニット、弾性支持部材及び支持塊を含み、
画像検出ユニットは上表面と下表面を有し、該画像検出ユニットの上表面はスキャナーの原稿受け面の内面に密着して設け、
弾性支持部材はその中央部に取付板を設け、取付板は画像検出ユニットの下部に取り付け、
支持塊は頂部取付面を設け、該頂部取付面と弾性支持部材中央部に備える取付板を取り付けて、弾性支持部材を画像検出ユニットの下表面に連結し、
該弾性支持部材に備える取付板の両側に上方に屈折しながら延ばして弾性支えパネルをそれぞれ設け、弾性支えパネルの外側は上方に屈折して両側に延ばした二つの突起片を設け、二つの突起片は画像検出ユニットの下表面に密着して連結することを特徴とする走査モジュール。
【請求項２】
すべての突起片は矩形であることを特徴とする請求項１記載の走査モジュール。
【請求項３】
該突起片に円形の接続孔を設けることを特徴とする請求項１記載の走査モジュール。
【請求項４】
該突起片に熱接着剤を塗布し、該画像検出ユニットの下表面に粘着して、固定により、連結することを特徴とする請求項１記載の走査モジュール。
【請求項５】
該弾性支持部材の取付板は貫通して、複数の取付孔を設け、該支持塊の頂部端面は上方に突き出して、該取付孔に対応して複数の突起棒を設け、該突起棒と該取付孔を合せて掛け合い、弾性支持部材を画像検出ユニットの下表面に接続することを特徴とする請求項１記載の走査モジュール。
【請求項６】
該取付板と突起片は互いに平行することを特徴とする請求項１記載の走査モジュール。
【請求項７】
すべての支えパネルの下部と取付板との接続場所は切り込んで、２倍の板厚みの隙間を開けることを特徴とする請求項１記載の走査モジュール。
【請求項８】
すべての支えパネルは両側に延ばして、等辺台形構造を形成し、すべての支えパネルは上下を貫通して、空所を並列して設けることを特徴とする請求項１記載の走査モジュール。
【請求項９】
二つの支えパネルは対称構造であることを特徴とする請求項１記載の弾性支持部材。
【請求項１０】
走査モジュールの画像検出ユニットを支え、取付板及び弾性支えパネルを含み、取付板は弾性支持部材の中央部に設け、該弾性支持部材に備える取付板の両側に上方に屈折しながら延ばして弾性支えパネルをそれぞれ設け、弾性支えパネルの外側は上方に屈折して両側に延ばした二つの突起片を設け、該突起片は画像検出ユニットの下表面に密着して連結することを特徴とする弾性支持部材。
【請求項１１】
すべての突起片は矩形であることを特徴とする請求項１０記載の弾性支持部材。
【請求項１２】
該突起片に円形の接続孔を設けることを特徴とする請求項１０記載の弾性支持部材。
【請求項１３】
すべての突起片は熱接着剤を塗布することを特徴とする請求項１０記載の弾性支持部材。
【請求項１４】
該弾性支持部材の取付板は、貫通して複数の取付孔を設けることを特徴とする請求項１０記載の弾性支持部材。
【請求項１５】
該取付板と突起片は互いに平行することを特徴とする請求項１０記載の弾性支持部材。
【請求項１６】
該取付板と支えパネルとの接続場所は切り込んで、２倍の板厚みの隙間を開けることを特徴とする請求項１０記載の弾性支持部材。
【請求項１７】
すべての支えパネルは上下を貫通して、空所を並列して設けることを特徴とする請求項１０記載の弾性支持部材。
【請求項１８】
すべての支えパネルは上下を貫通して、矩形の空所を設けることを特徴とする請求項１０記載の弾性支持部材。
【請求項１９】
すべての支えパネルは等辺台形構造であることを特徴とする請求項１０記載の弾性支持部材。
【請求項２０】
二つの支えパネルのうち、一つの支えパネルの長さはもう一つの支えパネルより長く設けることを特徴とする請求項１０記載の弾性支持部材。
【手続補正２】
【補正対象書類名】明細書
【補正対象項目名】００１１
【補正方法】変更
【補正の内容】
【００１１】
請求項１の考案は、画像検出ユニット、弾性支持部材及び支持塊を含み、
画像検出ユニットは上表面と下表面を有し、該画像検出ユニットの上表面はスキャナーの原稿受け面の内面に密着して設け、
弾性支持部材はその中央部に取付板を設け、取付板は画像検出ユニットの下部に取り付け、
支持塊は頂部取付面を設け、該頂部取付面と弾性支持部材中央部に備える取付板を取り付けて、弾性支持部材を画像検出ユニットの下表面に連結し、
該弾性支持部材に備える取付板の両側に上方に屈折しながら延ばして弾性支えパネルをそれぞれ設け、弾性支えパネルの外側は上方に屈折して両側に延ばした二つの突起片を設け、二つの突起片は画像検出ユニットの下表面に密着して連結することを特徴とする走査モジュールとしている。
請求項２の考案は、すべての突起片は矩形であることを特徴とする請求項１記載の走査モジュールとしている。
請求項３の考案は、該突起片に円形の接続孔を設けることを特徴とする請求項１記載の走査モジュールとしている。
請求項４の考案は、該突起片に熱接着剤を塗布し、該画像検出ユニットの下表面に粘着して、固定により、連結することを特徴とする請求項１記載の走査モジュールとしている。
請求項５の考案は、該弾性支持部材の取付板は貫通して、複数の取付孔を設ける、該支持塊の頂部端面は上方に突き出して、該取付孔に対応して複数の突起棒を設け、該突起棒と該取付孔を合せて掛け合い、弾性支持部材を画像検出ユニットの下表面に接続することを特徴とする請求項１記載の走査モジュールとしている。
請求項６の考案は、該取付板と突起片は互いに平行することを特徴とする請求項１記載の走査モジュールとしている。
請求項７の考案は、すべての支えパネルの下部と取付板との接続場所は切り込んで、２倍の板厚みの隙間を開けることを特徴とする請求項１記載の走査モジュールとしている。
請求項８の考案は、すべての支えパネルは両側に延ばして、等辺台形構造を形成し、すべての支えパネルは上下を貫通して、空所を並列して設けることを特徴とする請求項１記載の走査モジュールとしている。
請求項９の考案は、二つの支えパネルは対称構造であることを特徴とする請求項１記載の弾性支持部材としている。
請求項１０の考案は、走査モジュールの画像検出ユニットを支え、取付板及び弾性支えパネルを含み、取付板は弾性支持部材の中央部に設け、該弾性支持部材に備える取付板の両側に上方に屈折しながら延ばして弾性支えパネルをそれぞれ設け、弾性支えパネルの外側は上方に屈折して両側に延ばした二つの突起片を設け、該突起片は画像検出ユニットの下表面に密着して連結することを特徴とする弾性支持部材としている。
請求項１１の考案は、すべての突起片は矩形であることを特徴とする請求項１０記載の弾性支持部材としている。
請求項１２の考案は、該突起片に円形の接続孔を設けることを特徴とする請求項１０記載の弾性支持部材としている。
請求項１３の考案は、すべての突起片は熱接着剤を塗布することを特徴とする請求項１０記載の弾性支持部材としている。
請求項１４の考案は、該弾性支持部材の取付板は、貫通して複数の取付孔を設けることを特徴とする請求項１０記載の弾性支持部材としている。
請求項１５の考案は、該取付板と突起片は互いに平行することを特徴とする請求項１０記載の弾性支持部材としている。
請求項１６の考案は、該取付板と支えパネルとの接続場所は切り込んで、２倍の板厚みの隙間を開けることを特徴とする請求項１０記載の弾性支持部材としている。
請求項１７の考案は、すべての支えパネルは上下を貫通して、空所を並列して設けることを特徴とする請求項１０記載の弾性支持部材としている。
請求項１８の考案は、すべての支えパネルは上下を貫通して、矩形の空所を設けることを特徴とする請求項１０記載の弾性支持部材としている。
請求項１９の考案は、すべての支えパネルは等辺台形構造であることを特徴とする請求項１０記載の弾性支持部材としている。
請求項２０の考案は、二つの支えパネルのうち、一つの支えパネルの長さはもう一つの支えパネルより長く設けることを特徴とする請求項１０記載の弾性支持部材としている。